(57)【要約】      （修正有）【課題】泡ポンプ設計では、望ましい泡の実現を目的としているが、これは、数多くの部品を必要とし、使用してない間に漏れやすい。したがって、部品が少なく、かつ使用していない間の漏れを防ぐ、シンプルな泡ポンプの必要性が存在する。【解決手段】２行程式泡ポンプは、ピストンハウジングと、このピストンハウジングの中に保持されたピストンアセンブリとを包含し、ピストンハウジングとピストンアセンブリとの相互作用が圧縮可能な混合室を画定する。一方向へのピストンハウジング内のピストンアセンブリの動きにより、圧縮可能な混合室の容積が増加して、その中に液体および空気を引き込む。一方向と反対の方向へのピストンハウジング内のピストンアセンブリの動きにより、圧縮可能な混合室の容積が減少して、圧縮可能な混合室から液体および空気を泡製品として放出する。【選択図】図１
2010001077.tif 000002
【特許請求の範囲】
【請求項１】
二行程式泡ポンプであって、
（ａ）基部壁と、この基部壁から延在する少なくとも１つの側壁とを包含するピストンハウジングと、
（ｂ）ピストンアセンブリであって、
（ｉ）基部端を有するピストンであって、前記ピストンハウジング内で、前記基部端が前記ピストンハウジングの前記基部壁に近接して位置する休止位置から、前記基部端が前記ピストンハウジングの前記基部壁から遠く離れて位置する充填位置へと、選択的に移動可能であり、前記基部壁から離れる前記基部端の動きにより、前記基部端が前記基部壁から離れるように移動するにつれて容積が膨張し、逆に前記基部端が前記基部壁に向かって移動するにつれて容積が減少する、圧縮可能な混合室を画定するようにしたピストンと、
（ｉｉｉ）前記ピストンを通して前記基部端から出口へ延在する出口通路であって、前記圧縮可能な混合室と流体連通する出口通路と、
を包含するピストンアセンブリと、
（ｃ）前記圧縮可能な混合室と連通する、前記ピストンハウジング内の液体入口と、
（ｄ）この液体入口を通して前記圧縮可能な混合室内に入る流体の流れを調節する液体入口弁と、
（ｅ）前記圧縮可能な混合室と連通する空気入口と、
を包含し、
前記基部壁から離れる前記基部端の動きにより、前記圧縮可能な混合室の容積が増加して、前記空気入口を通して空気を前記圧縮可能な混合室内に引き込むと共に、前記液体入口を通して液体を前記圧縮可能な混合室内に引き込み、これによって、前記圧縮可能な混合室内で液体と空気との予混合物を生成し、その後、前記基部壁に向かう前記基部端の動きにより、前記液体と空気との予混合物の少なくとも一部分を前記ピストンの前記出口通路を通して押し出すようにした二行程式泡ポンプ。
【請求項２】
前記ピストンアセンブリが、更に、
（ｉｖ）出口弁を包含し、この出口弁が、前記出口通路を通る流体の流れを調整し、前記圧縮可能な混合室内から前記出口弁を通り、前記出口へ向かう流体の流れを可能にすると共に、前記出口弁を通して前記圧縮可能な混合室内に入る流体の流れを阻止し、前記基部壁へ向かう前記基部端の動きにより、前記液体と空気との予混合物の少なくとも一部分を前記出口弁を通して押し出すようにした、請求項１記載の二行程式ピストン。
【請求項３】
更に、前記空気入口を通って前記圧縮可能な混合室内に入る流体の流れを調整する空気入口弁を包含し、前記空気入口が前記ピストンハウジングを通して画定されている、請求項２記載の二行程式ピストンポンプ。
【請求項４】
更に、前記ピストンハウジングの前記少なくとも１つの側壁に接触するように前記ピストンから延在する、前記基部端に近接したシールを包含し、前記シールがまた前記圧縮可能な混合室を画定するようにした、請求項３記載の二行程式泡ポンプ。
【請求項５】
更に、前記ピストンハウジング上のカバープレートを包含し、前記ピストンが前記カバープレートを通して延在して、前記ピストンハウジングの外部に前記出口を形成している、請求項１に記載の二行程式泡ポンプ。
【請求項６】
更に、前記ピストンの前記出口通路と連通するメッシュスクリーンを包含し、前記基部壁に向かう前記基部端の動きにより、前記液体と空気との予混合物の少なくとも一部分を前記メッシュスクリーンを通して押し出すようにした、請求項３記載の二行程式泡ポンプ。
【請求項７】
前記ピストンハウジングがこのピストンハウジングから延在するポストを包含すると共、前記ピストンがボアを包含し、前記ボアが、
シールを介して前記ポストを囲繞してこのポストに係合する第１の部分と、
前記第１の部分から前記ピストンの前記基部端へ延在すると共に前記ポストを囲繞し、前記ポストとの間に環状空間を画定するように前記第１の部分の直径よりも大きい直径を有する第２の部分と、
前記第１の部分から前記出口に向かって延在する第３の部分と、
を包含し、前記ピストンが前記ポストに関して移動し、前記ピストンハウジングの前記基部壁から離れる前記ピストンの前記基部端の動きにより、前記第２の部分が前記シールに到達する際に、前記第１の部分と前記ポストとの間のシーリングを解くようにした、請求項１記載の二行程式泡ポンプ。
【請求項８】
前記基部壁から離れる前記基部端の動きにより、前記圧縮可能な混合室の容積が増加し、かつ前記ボアの前記第２の部分が前記シールに到達するまで、液体を前記圧縮可能な混合室内に引き込み、前記ボアの前記第２の部分が前記シールに到達する位置で、空気の経路が前記出口と前記圧縮可能な混合室との間に形成され、これにより、空気が前記出口および前記第３の部分を通して流れることを可能にして、前記液体と空気との予混合物を生成するようにした、請求項７記載の二行程式泡ポンプ。
【発明の詳細な説明】
【技術分野】
【０００１】
本発明は、泡製品を分与するために発泡可能な液体と空気とが混合される泡ポンプの技術分野に属する。より具体的には、本発明は、空気および発泡可能な液体が、第１の行程によって圧縮可能な混合室内に引き込まれ、また第２の行程によってポンプから泡スクリーンを通して放出される二行程式泡ポンプに関する。
【背景技術】
【０００２】
長年にわたり、せっけん、消毒剤、洗浄剤、殺菌剤、などといった液体を、液体を保持し、液体を送出するためのポンプ機構を提供する詰め替えユニットを支持するディスペンサハウジングから送出することが知られている。このようなディスペンサに使用されるポンプ機構は、典型的には、アクチュエータの動作時に所定の量の液体を単純に放出する液体ポンプであった。最近では、有効性および経済性の目的のために、液体を、空気を液体へと注入することによって生成される発泡体の形態で送出することが、望まれるようになってきている。したがって、標準的な液体ポンプが、発泡体生成ポンプに取って代わられているが、発泡体生成ポンプは、必然的に、空気および液体を所望の発泡体を生成するような様相で混合するための手段を必要とする。
【０００３】
典型的には、泡分与器は、空気を泡としてより良好に発泡可能な液体中に分散し、より均一な泡製品を生成するために、発泡可能な液体流れおよび空気流れを混合領域に送り込み、スクリーンを通して混合物を押し出すことにより、泡を生成する。気泡がより微細で多数である程、泡はより濃く滑らかとなるが、空気が多すぎる、または少なすぎると、泡の質が悪くなる。望ましい泡製品への鍵は、気泡を液体中に分散するための発泡可能な液体と空気との激しい混合である。多くの既存の泡ポンプ設計では、望ましい泡の実現を目的としているが、これは、数多くの部品を必要とし、使用してない間に漏れやすい。したがって、部品が少なく、かつ使用していない間の漏れを防ぐ、シンプルな泡ポンプの必要性が存在する。
【発明の概要】
【０００４】
本発明は、二行程式泡ポンプを提供する。本発明による二行程式泡ポンプはピストンハウジングを包含し、このピストンハウジングは基部壁と、この基部壁から延在する少なくとも１つの側壁とを包含する。本発明による二行程式泡ポンプは、また、ピストンアセンブリを包含し、このピストンアセンブリは基部端を有するピストンを包含する。前記ピストンは、前記ピストンハウジング内で、前記基部端がピストンハウジングの基部壁に近接して位置する休止位置から、前記基部端が前記基部壁から離れて位置する充填位置へ、選択的に移動可能である。前記基部壁から離れる前記基部端の動きにより、前記基部端が前記基部壁から離れて動くにつれて容積が増加し、逆に前記基部端が前記基部壁に向かって移動するにつれて容積が減少する、圧縮可能な混合室を画定するようにする。出口通路が、前記ピストンを通して前記基部端から出口へ延在している。前記出口通路は、前記圧縮可能な混合室と流体連通する。前記ピストンハウジングの液体入口は、前記圧縮可能な混合室と連通する。液体入口弁が、前記液体入口を通して前記圧縮可能な混合室内に入る流体の流れを調整する。空気入口が、また、前記圧縮可能な混合室と連通し、前記基部壁から離れる前記基部端の動きにより、前記圧縮可能な混合室の容積が増加して、前記空気入口を通して空気を前記圧縮可能な混合室内に引き込むと共に、前記液体入口を通して液体を前記圧縮可能な混合室内に引き込み、これによって、前記圧縮可能な混合室内で液体と空気との予混合物を生成し、その後、前記基部壁に向かう前記基部端の動きにより、前記液体と空気との予混合物の少なくとも一部分を前記ピストンの出口通路を通して押し出す。
【図面の簡単な説明】
【０００５】
【図１】休止状態で示される、本発明の概念による二行程式泡ポンプの第１の実施形態の断面図である。
【０００６】
【図２】充填状態で示される、前記第１の実施形態の断面図である。
【０００７】
【図３】休止状態で示される、本発明の概念による二行程式泡ポンプの第２の実施形態の断面図である。
【０００８】
【図４】充填状態で示される、前記第２の実施形態の断面図である。
【発明を実施するための形態】
【０００９】
本発明の概念による二行程式泡ポンプの第１の実施形態を包含する詰め替えユニットが、図１および図２に示され、符号１０によって総括的に示されている。詰め替えユニット１０は、当技術分野で一般的に既知であって、実践されている、発泡可能な液体Ｓで満たされた、既存の分与器ハウジング（図示せず）内に適合するように構成された容器１２を包含する。泡ポンプ１４は、オーバーキャップ１６によって容器１２に固定される。容器１２は、発泡可能な液体Ｓで満たされ、かつ泡ポンプ１４のハウジング２２のフランジ２０が首部１８の端２４に係合した状態で、泡ポンプ１４が収容される、ねじ付き首部１８を有する。オーバーキャップ１６は、内側にねじが付いており、首部１８に螺嵌され、首部１８内に泡ポンプ１４を固定するように構成される。首部１８の端２４とオーバーキャップ１６との間にフランジ２０を固定することによって、泡ポンプ１４が適所に固定される。泡ポンプの技術分野において従来のとおり、泡ポンプ１４は発泡可能な液体Ｓと空気とを混合室内で混合し、泡製品を生成する。本発明の概念によると、泡ポンプ１４は、ピストンの二行程の作用を利用して、発泡可能な液体Ｓと空気とを混合して、泡製品を生成する。
【００１０】
泡ポンプ１４は、内部に圧縮可能な混合室２５を有するハウジング２２を包含し、このハウジング２２は、側壁２６と、基部壁２８と、開放端３０とを有する。フランジ２０は、上述のとおり、開放端３０に隣接して側壁２６から外側に延在し、首部１８の端２４に係合する。したがって、ハウジング２２は、開放端３０が首部１８の端２４に近接して配設された状態で、首部１８内に適合し、容器１２に延在する。基部壁２８は、開口３２と、容器１２から混合室２５内への発泡可能な液体Ｓの流れを制御するように開口３２の中に配設された一方向弁３４とを包含する。ハウジング２２は、また、基部壁２８から開放端３０に向かって延在するポスト３６を包含する。ポスト３６は、実質的に混合室２５の中心に配設され、またポスト３６よりも多少大きい直径を有する端部分３８を包含することができる。端部分３８は、この端部分３８の環状凹部４２に位置する環状シーリング部材４０を包含することができる。環状シーリング部材４０は、ここではＯリングとして示されているが、他のシールを採用することもできる。
【００１１】
内部にボア４６を有するピストン４４は、ポスト３６を囲繞する混合室２５内に摺動自在に収容される。休止状態にある時、ピストン４４は、基部壁２８に隣接して位置する基部端４８と、ハウジング２２およびオーバーキャップ１６の外部に位置する分与端５０とを有する。ピストン４４は、また、ピストン４４の動きを生じさせるように作動機構と相互作用する作動フランジ５２を有する。
【００１２】
ボア４６は、異なる直径を有する３つの部分を包含する。ボア４６の第１の部分５４は、ピストン４４が休止状態にある時、ポスト３６の端部分３８のシール４０を囲繞して、このシール４０と相互作用する。より具体的には、第１の部分５４は、端部分３８の直径とほぼ等しいが、それよりも若干大きい直径を有し、シール４０と十分に係合して、適当な空気および液体の緊密なシールを作る。ボア４６の第２の部分５６は、第１の部分５４から基部端４８へ延在し、第１の部分５４の直径よりも大きな直径を有する。第２の部分５６の直径がより大きいので、ボア４６の内壁とポスト３６の外壁との間には空間が存在する。第１の部分５４および第２の部分５６の長さは、以下でさらに詳細に述べられるとおり、所望の泡特性によって変えることができる。ボア４６の第３の部分５８は、ポスト３６の遠位端の第１の部分５４からピストン４４の分与端５０に向かって延在し、端部分３８の直径よりも小さい直径を有する。本明細書の以下の開示から明らかであるように、ボア４６の第３の部分５８の直径は、ポンプ１４が作動される際、混合室２５内へ流れる空気の量を制御するために、分与端５０により近い位置で徐々に、または段付きでさらに縮小することができる。
【００１３】
ピストン４４は、また、その外表面のまわりに１つ以上の環状凹部５７を包含し、ピストン４４と側壁２６との間で環状シーリング部材５９がこれらの凹部のそれぞれに配設される。環状シーリング部材５９は、Ｏリングとして示されているが、これに限定またはこれによって限定されない。混合カートリッジ６０は、ピストン４４の分与端５０に近接して、ボア４６内に配設される。混合カートリッジ６０は管状体６２を包含し、管状体６２はこの管状体を通る通路６３を有する。通路６３は、入口メッシュ６４と出口メッシュ６６とによって境界される。出口メッシュ６６は、ポンプ出口６８に近接して配設される。混合カートリッジ６０は、質の高い泡製品を生成するように機能する、対向する２つのメッシュを備えているが、これに代えて単一のメッシュを使用することも可能であることを理解すべきである。混合カートリッジ６０は、また、ピストン４４の一部分に係合して、混合カートリッジ６０をボア４６内に固定するのに役立つ、Ｕ字型の保持部分７０を包含することができる。
【００１４】
図１に見られるように、休止状態から、泡ポンプ１４は、ピストン４４を矢印Ａの方向に移動することによって、図２の充填状態に操作され、これによって、空気および発泡可能な液体Ｓを混合室２５内に引き込む。次いで、泡ポンプ１４は、休止状態に戻され、空気と発泡可能な液体との混合物をポンプ出口６８を通して押し出す。偏倚機構および作動機構は、詰め替えユニット１０が取り付けられる既存のハウジングと統合することができる。種々の構成を採用し、泡ポンプ１４の所望の偏倚および作動を実現することができる。例えば、ばねの偏倚を使用して、ピストン４４を休止状態に偏倚させることが可能であり、またハウジングに結合したプッシュバー構成要素を作動させて、限界に到達するまで作動フランジ５２を引くことが可能である。これにより、混合室２５を充填し、充填後、ピストン４４がばねの偏倚によってその休止状態に戻るように、プッシュバーが作動フランジ５２を解放する。代替として、当業者には周知のとおり、動力付きの機械的リンケージまたは“ハンズフリー”型アクチュエータを使用することができる。
【００１５】
泡ポンプ１４から泡製品を分与するには、ピストン４４をハウジング２２の基部壁２８から離れるように移動する。最初に、ボア４６の第１の部分５４がシール４０を介してポスト３６の端部分３８との接触を保持したままである限り、ピストン４４の動きにより、混合室２５の容積を増やし、したがってその中に真空を形成する。ピストン４４の動きによって形成された真空により、発泡可能な液体Ｓは一方向弁３４を通して混合室２５内に引き込まれる。一旦、ピストン４４が、シール４０が第１の部分５４との接触からはずれるほど基部壁２８から十分遠くに移動すると（図１のｈ１で示される、動きの距離が必要である）、シールは崩壊する。シールが崩壊したとき、混合室２５内の真空は消滅し、代わりにピストン４４のさらなる動きによって、空気がポンプ出口６８を通り、通路６３を通って、混合室２５内に流れ込む。このように、ボア４６の第２の部分５６の直径の増加は、真空シールを解放し、空気の導入を可能にするが、これは、測定された量の発泡可能な液体Ｓが混合室２５内に導入された後のみに生じる。混合室２５内に引き込まれる発泡可能な液体Ｓの量は、使用される一方向弁３４のサイズまたは型式を変更することによって、あるいは、真空が解放される前にピストン４４が移行しなければならない長さ（ｈ１）を増加または減少することのいずれかによって、変化させることができる。ボア４６の第１の部分５４の軸方向の長さを増加させることによって、混合室２５内に引き込まれる発泡可能な液体Ｓの量は増加し、また、第１の部分５４の軸方向の長さを減少させることによって、混合室２５内に引き込まれる発泡可能な液体Ｓの量は減少する。第１の部分５４の軸方向の長さを変化させなくても、長さ（ｈ１）は、分与器に設けられている調節手段によって、ピストン４４の休止状態位置を基部壁２８からさらに遠くへ調節することによって変更し得る。
【００１６】
ピストン４４が完全に作動され、泡ポンプ１４が図２の充填状態になった後、ピストン４４は、作動機構によって、または偏倚機構の作用の下で、図１の休止状態に戻り、これによって、混合室２５を圧潰するとともに、ボア４６および混合カートリッジ６０を通して発泡可能な液体と空気との混合物を押し出す。混合室２５の容積の減少、およびそれ故圧力の増加により、発泡可能な液体と空気との混合物を混合カートリッジ６０を通して押し出す。特に、本実施形態において、通路６３は、圧縮可能な混合室２５の容積が膨張する間、空気入口通路としての役割を果たし、また、圧縮可能な混合室２５の容積が収縮する間、混合された空気および液体のための出口通路としての役割を果たす。
【００１７】
図３および図４は、本発明の第２の実施形態を示す。代替的な二行程式泡ポンプ１１４が示されているが、この泡ポンプ１１４は、泡ポンプ１４が上述の第１の実施形態のカートリッジ１２に収容された様態と同様に、フランジ１１３をオーバーキャップによって容器に固定し、首部１８の端２４に係合した状態で容器内に配設することによって、詰め替えユニットに組み込まれ得る。
【００１８】
泡ポンプ１１４はピストンハウジング１１２を包含し、このピストンハウジング１１２は基部壁１１５と、この基部壁１１５からカバープレート１１８に延在する少なくとも１つの側壁１１６とを有する。泡ポンプ１１４は、更に、ピストンアセンブリ１２６を包含し、このピストンアセンブリ１２６は基部端１２８を有するピストン１３０を包含する。基部端１２８は、摺動自在にピストンハウジング１１２内に配設され、ワイパーシール１２９を介して側壁１１６に接触する。ピストン１３０は、図３の休止位置から図４の充填位置へ移動可能であり、図１および図２の泡ポンプがこれらの位置間を移動し、泡製品を分与するのと同様である。
【００１９】
基部端１２８と、側壁１１６と、基部壁１１５との間の空間によって画定される内部容積は、圧縮可能な混合室１３４を構成し、図３では、実質的に最小容積まで圧潰され、基部壁１１５に直面して位置する。圧縮可能な混合室１３４は、ピストン１３０が図４の充填状態に向かって移動され、基部端１２８を、ワイパーシール１２９が基部壁１１５に隣接して位置する、図３の休止位置から、ワイパーシール１２９がカバープレート１１８に近接して位置する、図４の充填位置へ移動するにつれて、容積が増加する。反対に、圧縮可能な混合室１３４は、基部端１２８が充填位置から休止位置へ移動されるにつれて、容積が減少する。基部端１２８は、この基部端１２８を通してピストン１３０が固定される開口１３６を包含しても良いし、あるいは基部端１２８とピストン１３０とが１つの部品であっても良い。圧縮可能な混合室１３４内の流体および空気が、ピストン１３０のまわりの圧力の増加で漏出しないように、シールが基部端１２８とピストン１３０との間に形成される。このシールは、当業者に知られている任意の既知の機構または方法によって設けることができる。図面に示されるとおり、ピストン１３０の拡張部１３８は開口１３６に圧入および／または接着され、その中にピストン１３０を固定する。
【００２０】
ピストン１３０は、圧縮可能な混合室１３４と流体連通する出口通路１４０を包含する。一方向出口弁１４２は、出口通路１４０内に設けられ、圧縮可能な混合室１３４から出口弁１４２を通って出口通路１４０に入る流体の流れを可能にするが、出口通路１４０から出口弁１４２を通って圧縮可能な混合室１３４内に入る流体の流れを阻止する。ここでは、ばね１７４およびばねマウント１７５によって入口１７３を閉鎖するように偏倚されたボール１７２を有する周知のボール弁として示されているが、出口弁は他の形態を採ることができる。すなわち、出口弁１４２は、ダックビル弁、フラッパ弁、またはエラストマークロススリット弁（ZellerまたはLMS様式の弁としても知られている）等の、多くの従来の一方向弁のうちの１つであってもよい。出口通路１４０は、更に、その中に設けた少なくとも１つのメッシュスクリーンを包含し、液体と空気との混合物は泡ポンプ１１４から出る前にこのメッシュスクリーンを通して押し出される。少なくとも１つのメッシュスクリーンは、メッシュスクリーン１４９および１５０によって両端で境界される中空管１４８から成る混合カートリッジ１４６の形態をとることができる。
【００２１】
ピストンハウジング１１２は、更に、液体入口１５４および空気入口１５６を包含し、これらの液体入口１５４および空気入口１５６の各々は、基部端１２８が基部壁１１５から離れて移動するにつれて膨張する圧縮可能な混合室１３４内への流体の流れを可能にする。ここでは、これらの液体入口１５４および空気入口１５６は基部壁１１５に配設されて示されているが、泡ポンプ１１４の機能の開示した後には、圧縮可能な混合室１３４と連通するように別様に配設される可能性があることが明らかとなろう。液体入口弁１５８は、液体容器（図示せず）内の発泡可能な液体源と液体入口１５４との間に配設され、混合室１３４内への流体の流れを調整する。液体入口弁１５８は、この液体入口弁１５８を通って圧縮可能な混合室１３４内に入る流体の流れを可能にするが、圧縮可能な混合室１３４から液体入口弁１５８を通って出る流体の流れを阻止する一方向弁である。同様に、一方向空気入口弁１６０は、圧縮可能な混合室１３４の中に入る空気の流れは許容するが、外へは空気の流れを許容しないように、空気入口１５６に配設される。空気入口１５６は、通常、周囲大気と連通するが、別の専用空気源と連通することも可能である。液体入口１５４および空気入口１５６のサイズ、および／またはそれらの流れに対する抵抗は、泡ポンプ１１４の作動の際に供給される液体または空気の量を増加または減少させるように変化させることができる。
【００２２】
ばねとしてここで示されている偏倚機構１７０は、ピストンアセンブリ１２６を休止位置に偏倚し、作動後、ピストンアセンブリ１２６を休止位置に戻すように、ピストン１３０のまわりであって、かつ基部端１２８とピストンハウジング１１２のカバープレート１１８との間に配設されている。しかしながら、偏倚機構がない場合、泡ポンプ１１４は依然として、両方向へのピストンアセンブリ１２６の手動の動きによって動作して、ポンプ１１４を充填し、発泡可能な液体と空気との混合物を放出するようにし得ることを理解されよう。このことは、図１および図２の泡ポンプ１４についても当てはまり、この事実は容易に理解されよう。
【００２３】
偏倚機構１７０の作用により、泡ポンプ１１４は、基部端１２８が基部端１１５に近接した状態で、図２に示される休止位置にとどまる。泡ポンプ１１４を作動させるには、ピストンアセンブリ１２６は偏倚機構１７０の偏倚力を克服するように付勢され、基部端１２８を矢印Ｂの方向へ、基部端１１５からカバープレート１１８に向かって移動させる。圧縮可能な混合室１３４の容積の膨張により、真空を形成し、これによって、発泡可能な液体をその源から入口弁１５８を通して引き込むと共に、空気をその源（例えば、大気）から空気入口弁１６０を通して引き込み、発泡可能な液体および空気の両方で混合室１３４を充填する。液体および空気で充填された後、ピストンアセンブリ１２６は、その休止位置へ戻る。液体入口弁１６８および空気入口弁１６０は、圧縮可能な混合室１３４から流体が流れ出るのを可能にしないので、液体と空気との混合物は、出口通路１４０の出口弁１４２を通り、混合カートリッジ１４６を通して押し出され、出口１８０から分与される品質の高い泡を生成する。ピストンアセンブリ１２６は、その休止状態に戻ると、泡ポンプ１１４の引き続きの作動が可能な状態となり、液体と空気との混合物の実質的にすべては出口通路１４０を通して排出されている。
【００２４】
上記を鑑みて、本発明は、泡ポンプの技術における向上を提供することが明確である。本発明の概念を教示する目的で、特定の実施形態を本明細書に開示してきたが、本発明は、図示および記載されるいかなる特定の構造にも、または図示および記載されるいかなる特定の構造によっても制限されないことが理解されよう。したがって、特許請求の範囲の記載が本発明を限定する役割を果たすものとする。
【図１】
2010001077.tif 000003
【図２】
2010001077.tif 000004
【図３】
2010001077.tif 000005
【図４】
2010001077.tif 000006
【外国語明細書】
2010001077000001.pdf